(57)【要約】本発明は、前後編地から成る筒状編地の終端部に、総針で編成したパイピング部を設けることを目的とする。針本体とスライダーから成る複合針を備えた横編機を用いて、筒状編地の終端部に総針でパイピング部を形成する方法であって、一方の針床でパイピング部を形成する際に、他方の針床で係止する編目の一部を同針床上でその隣接する針にホールディングさせて空針を設け、その空針に増し目を形成し、一方の針床において総針でパイピング部を形成し、他方の針床で増し目した編目を対向する一方の針床へ目移ししてパイピング部を繋ぎ、伏目処理した後、他方の針床でも総針でパイピング部を形成する。【特許請求の範囲】
【請求項１】
先端にフックを備えた針本体と、２枚の薄板を重ね合わせて構成したタングを備えたスライダーから成る複合針を列設した少なくとも前後一対の針床を有し、前後針床が相対的にラッキング可能に構成された横編機を用いて、前編地と後編地がその両端で連続する筒状の本体編地の終端部に、総針でパイピング部を形成する方法であって、以下のステップを含むことを特徴とする編成方法；
（１）一方の針床でのパイピング部の編成に先立って、前後の編地を針床上でそれぞれ総針の状態で係止し、他方の針床の針で係止する編目の一部を、同針床上でその隣接する針にホールディングさせて空針を設けるステップ。
（２）一方の針床で編目を形成するとともに、前記ホールディングによって設けた他方の針床の空針に、一方の針床の編地と繋がる編目を形成するステップ。
（３）一方の針床において、総針でパイピング部の編目を形成するステップ。
（４）前記ステップ（２）で形成した他方の針床の編目を、対向する一方の針床の針へ目移しして、パイピングの始端部と終端部を繋ぐステップ。
（５）前記の繋がれたパイピング部を伏目処理するステップ。
（６）前記ステップ（１）でホールディングさせた編目を元の編目位置に戻した後、他方の針床においても総針でパイピング部を編成するステップ。
【請求項２】
ホールディングにより設ける空針の配置は、針１本置きであることを特徴とする請求項１に記載の編成方法。
【請求項３】
前記ステップ（２）で空針に設ける編目の形成は、割増やし編成によって行なうことを特徴とする請求項１または２に記載の編成方法。
【請求項４】
パイピング部の編成は、複数コースで１つ編目列を形成するように、各コースでは該複数よりも１少ない数の編目位置の間隔をおいて１つの編目位置でのみ編目を形成しながら、コース毎に編目を形成する編目位置を順次変えることを特徴とする請求項１〜３の何れかに記載の編成方法。
【請求項５】
請求項１〜４の何れかに記載の編成方法によって編成されていることを特徴とする編地。
【請求項６】
パイピング部がニットウエアの衿部であることを特徴とする請求項５に記載の編地。
【発明の詳細な説明】
【技術分野】
【０００１】
本発明は、無縫製で編まれた本体編地の終端部に、総針でパイピング部を設けるための編成方法およびその編地に関する。
【背景技術】
【０００２】
従来よりニットウエアの衿部や裾部、あるいはサポータ等の筒状編地の終端部において、パイピング部を形成する方法が提案されている。【０００３】
例えば文献１は、セーターの身頃部分の終端部にパイピング部を設ける方法であり、パイピングの始端部と終端部を弾性糸と用いて連結し、伏目処理するものである。これは、筒状編地についてのものではない。文献２は、筒状編地であるサポータの終端部に環状のパイピング部を設ける方法で、パイピング部の編成は、前パイピング部と後パイピング部を交互に、並行して編成していくものである。筒状編地本体部とパイピング部ともに針抜き編成である。
【特許文献１】特許第２６１０２０８号
【特許文献２】特願２００４−３５８１７９
【発明の開示】
【発明が解決しようとする課題】
【０００４】
本発明は、前後編地から成る筒状編地の終端部に、総針で編成したパイピング部を設けることを目的とする。
【課題を解決するための手段】
【０００５】
この発明は、先端にフックを備えた針本体と、２枚の薄板を重ね合わせて構成したタングを備えたスライダーから成る複合針を列設した少なくとも前後一対の針床を有し、前後針床が相対的にラッキング可能に構成された横編機を用いて、前編地と後編地がその両端で連続する筒状の本体編地の終端部に、総針でパイピング部を形成する方法であって、以下のステップを含むことを特徴とする編成方法である。
（１）一方の針床でのパイピング部の編成に先立って、前後の編地を針床上でそれぞれ総針の状態で係止し、他方の針床の針で係止する編目の一部を、同針床上でその隣接する針にホールディングさせて空針を設けるステップ。
（２）一方の針床で編目を形成するとともに、前記ホールディングによって設けた他方の針床の空針に、一方の針床の編地と繋がる編目を形成するステップ。
（３）一方の針床において、総針でパイピング部の編目を形成するステップ。
（４）前記ステップ（２）で形成した他方の針床の編目を、対向する一方の針床の針へ目移しして、パイピングの始端部と終端部を繋ぐステップ。
（５）前記の繋がれたパイピング部を伏目処理するステップ。
（６）前記ステップ（１）でホールディングさせた編目を元の編目位置に戻した後、他方の針床においても総針でパイピング部を編成するステップ。【０００６】
好ましくは、ホールディングにより設ける空針の配置は、針１本置きにする。【０００７】
好ましくは、前記ステップ（２）で空針に設ける編目の形成は、割増やし編成によって行なう。【０００８】
パイピング部の編成は、複数コースで１つ編目列を形成するように、各コースでは該複数よりも１少ない数の編目位置の間隔をおいて１つの編目位置でのみ編目を形成しながら、コース毎に編目を形成する編目位置を順次変えるようにする。
（以下、スムース編みと言う。）【０００９】
また、前述の何れかの編成方法によって編成されてことを特徴とする編地である。【００１０】
更に、パイピング部がニットウエアの衿部であることを特徴とする編地である。
【発明の効果】
【００１１】
この発明の編成方法では、前後編地から成る筒状の本体編地の終端部に続いて、総針で編成したパイピング部を設けることができる。従って、針床上の編成幅と編機ゲージに相当する編目のパイピング部を得ることができる。また、本体編地の前後一方側で、単独にパイピング部の形成を完了することができる為、前後編地の両方で交互に並行してパイピング部を編成する場合に比べて、編目の移動が少なく、編成工程が簡素であり、編目の移動による糸の損傷も抑えることができ、また、歯口部でのスペースに余裕が生まれる。本体編地の前後一方側でのパイピングの形成を伏目処理で完了すると、針に係止される編目がなくなる為、続けて前後他方側でもパイピングを形成する場合には、ホールディングによる空針の形成が不要になり、更に編成工程を簡素化できる。【００１２】
ホールディングにより設ける空針の配置を、針１本置きとすることで、パイピングの始端部と終端部をウエール方向に伸びが少なく繋ぐことができ、見栄えの良いものとすることができる。【００１３】
空針への編目形成を割増やし編成によって行なうことで、増し目箇所の孔あきが目立ち難い。【００１４】
パイピング部をスムース編みすることで、歯口下方への編地の下がりを良くできる。【００１５】
この発明の編成方法を、ニットウエアの衿部に適用すれば、２層の編地となる為、厚みがあり、しっかりした衿を得ることができる。伏目部分が編地の内側に位置する為、見栄えが良い。
【図面の簡単な説明】
【００１６】
【図１】本実施例の編成方法によって編まれたセーターの全体を示す。
【図２】本実施例の編成工程図。（ステップ１〜ステップ８）
【図３】本実施例の編成工程図。（ステップ９〜ステップ１２）
【図４】スムース編みの場合の編成図。
【符号の説明】
【００１７】
１…セーター、２…前身頃、３…後身頃、４…右袖、５…左袖、６…肩部、１０…ネックホール、１１…衿部、１２…前衿、１３…後衿、２１…裾部、４１，５１…袖口、４２，５２…脇部
【発明を実施するための最良の形態】
【００１８】
以下に本発明の好適な実施例として、ボートネックタイプのセーターの衿部をパイピング状に編成する場合について図面とともに説明する。【００１９】
図１は、本実施例の編成方法によって編まれたセーターを示す。このセーター１の編成には、先端にフックを備えた針本体と、２枚の薄板を重ね合わせて構成したタングを備えたスライダーから成る複合針を列設した前後一対の針床を有し、更に前針床の上位には目移し用のトランスファージャックを列設したトランスファージャックベッドを有し、前後針床が相対的にラッキング可能に構成された横編機（例えば株式会社島精機製作所製コンピュータ横編機、製品名ＦＩＲＳＴ）を用いる。【００２０】
本実施例では、編目を同一の針床上で隣接する針へホールディングする場合に、トランスファージャックを経由して行なっているが、トランスファージャックを設けていなくても前記の複合針を有する横編機であれば、対向する針へのホールディングを経由して、編目を同一の針床上で隣接する針へホールディングすることができる。ホールディングについては、本出願人が特許第２９９５４６４号で言及している。【００２１】
セーター１は、公知の方法により、前身頃２と後身頃３の両端が連結された筒状編地として、裾部２１から肩部６に向けて編成する。右袖４、左袖５についても、袖口４１，５１から筒状に編成する。そして、脇部４２，５２で身頃と袖を接合し、１つの筒状編地として編成していき、ネックホール１０を形成する箇所では左右に分岐して、それぞれ引き返し編成により肩部６まで編成する。この引き返し編成は、ネックホール１０の周縁部分の針を順次編成から外して不作用状態にしていく編成で行なう。そして肩部６ではネックホール１０を形成する前後身頃２，３の編目を除いた編地同士を接合して伏目処理する。この時点で、前後針床の針には、ネックホール１０を形成する編目のみが係止される。このネックホール１０の編目に続いて、衿部１１を編成する。【００２２】
以下、衿部１１（前衿１２、後衿１３）をパイピング状に編成する方法について、図２、図３に示す編成工程図に従って説明する。図中のＦＢは前針床、ＢＢは後針床、Ａは給糸口、アルファベットａ，ｂ，…，ｋはそれぞれ針を示す。説明の便宜上、編目の数は実際の編成よりも少なくしている。【００２３】
ステップ１は、前記のネックホール１０を形成する編目が前後の針床の針ａ〜ｋに総針で係止された状態である。これ以降のステップでパイピング部を形成していくが、針抜き編成で身頃部を編成していた場合等で、総針の状態になっていなければ、空針に増し目して総針の状態にすればよい。【００２４】
ステップ２では、後針床ＢＢの針ｂ，ｄ，ｆ，ｈ，ｊで係止する編目を前針床ＦＢの上位に備えるトランスファージャックへ目移しした後、後針床ＢＢの針ａ，ｃ，ｅ，ｇ，ｉへホールディングさせる。これにより、後針床ＢＢの針ｂ，ｄ，ｆ，ｈ，ｊの編目が、その隣接する後針床ＢＢの針ａ，ｃ，ｅ，ｇ，ｉへ預けられ、後針床ＢＢの針ｂ，ｄ，ｆ，ｈ，ｊは編目を係止しない空針となる。すなわち、針１本置きに空針が配置される。【００２５】
ステップ３では、給糸口Ａを左方向に移動させながら、前針床ＦＢの針ａ〜ｋで編成を行なうとともに、前針床ＦＢの針ｂ，ｄ，ｆ，ｈ，ｊで係止していた編目を後針床ＢＢの針ｂ，ｄ，ｆ，ｈ，ｊへ移す割増やし編成を行なう。この割増やしで移された編目は、以後のステップで形成されるパイピング部を形成する編目を繋ぐ為に利用する。割増やし編成についての詳細は、本出願人による特許第２９１７４６号で言及される。ここでは割増やし編成による増し目を行なったが、前針床の針と後針床の空針に給糸してタックさせてもよい。【００２６】
ステップ４では、給糸口Ａを右方向へ移動させながら、前針床ＦＢの針ａ〜ｋで編成を行なう。続くステップ５で、給糸口Ａを左方向へ反転させて前針床ＦＢの針ａ〜ｋで編成を行なう。ステップ４及びステップ５の編成で形成される編目は、パイピング部を形成する編目であり、これらステップ４及びステップ５の編成を、所望の数の編目列が得られるまで繰り返す。【００２７】
パイピング部を形成する編目列ができた後、ステップ６では、パイピングの始端部（ステップ３で、前針床ＦＢの針ａ〜ｋに形成した編目列）と終端部（ステップ５で、前針床ＦＢの針ａ〜ｋに形成した編目列）を繋ぐ。ステップ３の割増やし編成で、後針床ＢＢの針ｂ，ｄ，ｆ，ｈ，ｊへ係止させた編目を前針床ＦＢの針ｂ，ｄ，ｆ，ｈ，ｊへ目移しして戻す。これでパイピングの始端部と終端部が、これら編目を介して繋がった状態となる。【００２８】
ステップ７では、パイピング部の編成に使用した給糸口Ａを右方向に移動させながら、前針床ＦＢの針ａ〜ｋの編目について、伏目処理を行なう。この伏目処理によって、前針床ＦＢの針ａ〜ｋに係止される編目は全てなくなり、後針床ＢＢの針ａ，ｃ，ｅ，ｇ，ｉ，ｋにのみ編目が残る。以上のステップにより、セーター１の前衿１２がパイピング状に形成される。【００２９】
次に後衿１３を前衿１２と同様に、パイピング状に編成していく。ステップ８で、後針床ＢＢの針ａ，ｃ，ｅ，ｇ，ｉでホールディングしていた編目をそれぞれ元の針ｂ，ｄ，ｆ，ｈ，ｊへ戻す。すなわち、ステップ１に示した後針床ＢＢでの編目の係止状態と同じである。【００３０】
ステップ９で、給糸口Ａを左方向に移動させながら、後針床ＢＢの針ａ〜ｋで編成を行なうとともに、後針床ＢＢの針ｂ，ｄ，ｆ，ｈ，ｊで係止していた編目を前針床ＦＢの針ｂ，ｄ，ｆ，ｈ，ｊへ移す割増やし編成を行なう。【００３１】
ステップ１０では、給糸口Ａを右方向へ移動させながら、後針床ＢＢの針ａ〜ｋで編成を行なう。続くステップ１１で、給糸口Ａを左方向へ反転させて後針床ＢＢの針ａ〜ｋで編成を行なう。ステップ１０及びステップ１１の編成を、所望の数の編目列が得られるまで繰り返す。【００３２】
ステップ１２で、パイピングの始端部（ステップ９で、後針床ＢＢの針ａ〜ｋに形成した編目列）と終端部（ステップ１１で、後針床ＢＢの針ａ〜ｋに形成した編目列）を繋ぐ。ステップ９の割増やし編成で、前針床ＦＢの針ｂ，ｄ，ｆ，ｈ，ｊへ係止させた編目を後針床ＢＢの針ｂ，ｄ，ｆ，ｈ，ｊへ目移しして戻す。これでパイピングの始端部と終端部が、これら編目を介して繋がった状態となる。【００３３】
次に、パイピング部の編成に使用した給糸口Ａを右方向に移動させながら、後針床ＢＢの針ａ〜ｋの編目について、伏目処理を行ない、セーター１の後衿１３が形成される。【００３４】
以上のように、総針によるパイピング状の前衿１２と後衿１３を、それぞれ単独で形成することができる。本実施例のセーターは、ネックホールを緩やかな曲線で横方向に広くしたボートネックタイプであるが、丸首タイプの場合には前衿と後衿の端部同士をそれぞれ突き合わせて、または重ね合わせて縫製すればよい。【００３５】
図２のステップ４及びステップ５、図３のステップ１０及びステップ１１に示すパイピング部の編成に替えて、図４に示すスムース編みを行なえばよい。この編み方によるメリットは、編地の下がりが良い為、編成しやすい。また、天竺編みよりも厚みがあり、形態安定性の良いものにできる点である。１コース目で、１本置きの針ａ，ｃ，ｅ，ｇ，ｉ，ｋで編目を形成する。編成方向を変えて２コース目では、１本置きの針ｂ，ｄ，ｆ，ｈ，ｊで編目を形成する。このように２コースの編成で、１つの編目列ができる。これに限らず、より複数コースの編成で１つの編目列を形成することも当然可能である。【００３６】
本実施例では、伏目に使用する糸は、パイピング部（衿部）の編成と同じ糸としたが、弾性糸を使用してもよい。弾性糸の弾性により伸縮することができるので、セーター着脱時に伏目部分が引き伸ばされても、十分に伸びることができるので、伏目部分の損傷を抑えることができる。また、本出願人による特許第３５４１１９１号に記載の伏目処理を施せば、伸縮性に優れた伏目箇所とすることができる。
【図１】
2007020829.tif 000002
【図２】
2007020829.tif 000003
【図３】
2007020829.tif 000004
【図４】
2007020829.tif 000005
【国際調査報告】
2007020829.tif 000006
2007020829.tif 000007
2007020829.tif 000008
2007020829.tif 000009